(57)【要約】【課題】  軽量で取り扱い性に優れ、簡単に組み立てることができるとともに、容易に清掃することができる簀の子単体を提供する。【解決手段】長手方向に中空部２１１ｂを有する簀の子板２１と、簀の子板２１の中空部２１１ｂに嵌合可能な嵌合部２２２を有するサイドキャップ２１と、から簀の子単体２が構成される。そして、複数本の簀の子単体２を簀の子受け板に固定するとともに、簀の子受け板に昇降自在な支持脚を固定し、簀の子を組み立てる。【選択図】  図３
2005287760.tif 000002
【特許請求の範囲】
【請求項１】
長手方向に中空部を有する簀の子板と、簀の子板の中空部に嵌合可能な嵌合部を有するサイドキャップと、からなり、簀の子板の各端部において、簀の子板の中空部にサイドキャップの嵌合部が嵌合されて端面同士が突き合わされていることを特徴とする簀の子単体。
【請求項２】
前記簀の子板が１個もしくは複数個の中空部を有する硬質な芯部と、該芯部の外周面を被覆する軟質な被覆部と、から形成されていることを特徴とする請求項１記載の簀の子単体。
【請求項３】
前記簀の子板の表面に滑り止めが形成されるとともに、その裏面に長手方向に設定間隔をおいて位置決め線が形成されていることを特徴とする請求項１または２記載の簀の子単体。
【請求項４】
前記サイドキャップの左右各外面に同一長さの突起がそれぞれ上下に互い違いに形成されていることを特徴とする請求項１記載の簀の子単体。
【請求項５】
前記サイドキャップには、簀の子板の中空部と外部とを連通する水抜き部が形成されていることを特徴とする請求項１または４記載の簀の子単体。
【請求項６】
請求項１乃至５のいずれかに記載の複数本の簀の子単体と、少なくとも各簀の子単体の長手方向各端部に簀の子単体の長手方向に直交してそれぞれ配置されるとともに、各簀の子単体と固定された複数本の簀の子受け板と、少なくとも簀の子受け板の左右各端部にそれぞれ固定された昇降自在な支持脚と、から構成されたことを特徴とする簀の子。
【発明の詳細な説明】
【技術分野】
【０００１】
この発明は、簀の子単体および簀の子に関するものである。
【背景技術】
【０００２】
一般に、浴室の洗い場には、木製あるいは樹脂製の一対の縦桟および一対の縦桟の上面に設定間隔をおいて互いに平行に配設された木製あるいは樹脂製の複数枚の板材からなる簀の子が敷設されている。
【０００３】
このような簀の子を敷設する場合、簀の子の寸法が完成品であると、洗い場の寸法に対応することができず、周囲に隙間が発生したり、出入口との間に段差が生じることを避けることができない。
【０００４】
そこで、洗い場の形状や大きさに合わせて形成することができるとともに、出入口との段差を解消することができるように、複数枚の組付板と、これらの組付板の上面に互いに平行に取り付けられた複数枚の長尺プレートと、各組付板の長手方向の任意の位置で固定された複数個の昇降自在な脚部材と、からなる簀の子が提案されている（特許文献１参照）。
【特許文献１】特開２００１−５７９４４号公報
【発明の開示】
【発明が解決しようとする課題】
【０００５】
ところで、前述した簀の子においては、組付板に対して長尺プレートを、隣接する長尺プレート間の間隔を一定に保って互いに平行に固定するため、治具などを用いて１本ずつ固定する必要があり、作業が煩雑になるとともに、多くの作業時間を要するという問題がある。また、簀の子は、浴室という高温多湿の環境下で使用されるため、かびやぬめりなどの発生を避けることができない。この場合、前述した簀の子を構成する組付板および長尺プレートは、断面略Ｃ字状に形成されており、中実な長尺プレートに比較して重量軽減を図ることができるものの、その内面側の入隅部分にかびなどが付着すると、容易に清掃することができず、見映えが低下するばかりでなく、衛生面でも難がある。
【０００６】
本発明は、このような問題点に鑑みてなされたもので、軽量で取り扱い性に優れ、簡単に組み立てることができるとともに、容易に清掃することのできる簀の子単体および簀の子を提供するものである。
【課題を解決するための手段】
【０００７】
本発明の簀の子単体は、長手方向に中空部を有する簀の子板と、簀の子板の中空部に嵌合可能な嵌合部を有するサイドキャップと、からなり、簀の子板の各端部において、簀の子板の中空部にサイドキャップの嵌合部が嵌合されて端面同士が突き合わされていることを特徴とするものである。
【０００８】
本発明によれば、簀の子単体は、中空状の簀の子板の両端部にサイドキャップを装着して形成されるため、重量軽減を図ることができるとともに、簀の子板の中空部への水の浸入を可及的に抑制することができる。また、簀の子単体には、入隅部分がないため、かびなどは簀の子単体の外周面に付着することから、簡単に清掃することができる。
【０００９】
ここで、簀の子単体としては、ポリスチレン、ＡＢＳ樹脂、ポリプロピレン、ポリエチレン、塩化ビニルなどの合成樹脂を採用することができ、また、サイドキャップとしては
、ポリスチレン、ＡＢＳ樹脂、ＡＳ樹脂、ポリカーボネート、ポリエチレンなどの熱可塑性樹脂を採用することができる。
【００１０】
本発明において、前記簀の子板が１個もしくは複数個の中空部を有する硬質な芯部と、該芯部の外周面を被覆する軟質な被覆部と、から形成されていると、重量増加を抑制することができるとともに、どの位置においても中空部の形状を同一に維持することができる。このため、サイドキャップの嵌合部を簀の子板の中空部に確実に嵌合させることができる。
【００１１】
ここで、硬質な芯部および軟質な被覆部としては、同一の無発泡樹脂および発泡樹脂によって形成され、例えば、ポリスチレン、ＡＢＳ樹脂、ポリプロピレン、ポリエチレン、塩化ビニルなどを挙げることができ、成形法としては、二層押出成形法を採用することができる。
【００１２】
本発明において、前記簀の子板の表面に滑り止めが形成されるとともに、その裏面に長手方向に設定間隔をおいて位置決め線が形成されていると、簀の子に組み立てた場合、簀の子上での滑りを防止することができる。また、簀の子に組み立てる場合、裏面に形成された位置決線を利用して長さを調整したり、簀の子受け板の固定位置を位置決めすることが可能となる。
【００１３】
この場合、滑り止めおよび位置決め線は、エンボス加工によって形成することができる。
【００１４】
本発明において、前記サイドキャップの左右各外面に同一長さの突起がそれぞれ上下に互い違いに形成されていると、隣接する簀の子単体との間を一定間隔に保持することができる。この場合、突起は上下に互い違いに設けられているため、隣接する簀の子単体の突起と干渉することはない。
【００１５】
本発明において、前記サイドキャップには、簀の子板の中空部と外部とを連通する水抜き部が形成されていると、簀の子板の中空部に浸入した湿気が液化して水滴となった際、その水滴をサイドキャップの水抜き部を通して外部に排水することができる。
【００１６】
本発明の簀の子は、請求項１乃至５のいずれかに記載の複数本の簀の子単体と、少なくとも各簀の子単体の長手方向各端部に簀の子単体の長手方向に直交してそれぞれ配置されるとともに、各簀の子単体と固定された複数本の簀の子受け板と、少なくとも簀の子受け板の左右各端部にそれぞれ固定された昇降自在な支持脚と、から構成されたことを特徴とするものである。
【００１７】
本発明によれば、前述した簀の子単体の特徴を有する簀の子を得ることができる。
【００１８】
ここで、簀の子受け板の材質としては、アルミ合金、ステンレス鋼板あるいは塗装鋼板を採用することができる。また、支持脚の材質としては、ポリプロピレン、ＡＢＳ樹脂、ポリスチレン、ＡＳ樹脂、ポリカーボネート、ポリエチレンなどの熱可塑性樹脂を任意の材質を採用できるが、ポリプロピレン樹脂によって形成されたフクビ化学工業株式会社製の商品名「プラ木レン」を好適に採用することができる。
【発明の効果】
【００１９】
本発明によれば、軽量で取り扱い性に優れ、簡単に組み立てることができるとともに、容易に清掃することができる。
【発明を実施するための最良の形態】
【００２０】
以下、本発明の実施の形態を図面に基づいて説明する。
【００２１】
図１および図２には、本発明の簀の子１の一実施形態が示されている。
【００２２】
この簀の子１は、複数本の簀の子単体２と、各簀の子単体２の長手方向各端部およびその中間部において、簀の子単体２の長手方向に直交してそれぞれ配置されるとともに、各簀の子単体２と固定された複数本の簀の子受け板３と、簀の子受け板３の左右各端部にそれぞれ固定された昇降自在な支持脚４と、から構成されている。
【００２３】
簀の子単体２は、図３に示すように、中空状の簀の子板２１の各端部にそれぞれサイドキャップ２２が装着されたもので、板状の外観を呈している。
【００２４】
そして、簀の子板２１は、無発泡ポリスチレン樹脂製の硬質な芯部２１１と、芯部２１１の外周面を被覆する発泡ポリスチレン樹脂製の軟質な被覆部２１２と、からなり、簀の子板２１の芯部２１１には、２本のリブ２１１ａによって幅方向に３分割された断面方形の中空部２１１ｂが長手方向に連続して形成されている。このような簀の子板２１は、二層押出成形法によって成形することができる。このため、簀の子板２１は、軽量となり、取り扱い性に優れたものとなる他、長手方向の任意の位置において、同一断面形状の中空部２１１ｂを得ることができる。
【００２５】
なお、簀の子板２１の被覆部２１２の表面側および裏面側には、それぞれエンボス加工によって滑り止め２１２ａ（図１参照）が形成されるとともに、長手方向に設定間隔をおいて、例えば、１０ｍｍ間隔をおいて位置決め線２１２ｂ（図３参照）が形成されている。
【００２６】
この場合、簀の子板２１の、リブ２１１ａによって区画される中空部２１１ｂの数は任意であり、幅によっては、必ずしもリブを形成することなく、単一の中空部であってもよい。
【００２７】
サイドキャップ２２は、図４に詳細に示すように、ポリスチレン樹脂よりなり、前述した簀の子板２１の外面形状とほぼ同一の外面形状を有する箱状の本体部２２１と、本体部２１の内面からその端縁を越えて突出された中空状の嵌合部２２２とからなり、嵌合部２２２は、簀の子板２１の芯部２１１に形成された３個の中空部２１１ｂの断面形状とほぼ同一の外面形状を有して３個形成されている。そして、サイドキャップ２２の各嵌合部２２２の上外周面および下外周面には、それぞれ外方に膨出する２本の凸条２２２ａが長手方向に形成されている他、下辺部の中央部に位置してスリット２２２ｂが長手方向に形成されている。
【００２８】
一方、サイドキャップ２２の本体部２２１の左右各外面には、同一長さ、具体的には、５ｍｍの突起２２１ａがそれぞれ上下方向の中心線に関して対称に形成されている。また、サイドキャップ２２の本体部２２１の下辺部には、簀の子板２１の端面と突き合わされる端縁部において、前述した各嵌合部２２２に形成されたスリット２２２ｂに臨んでそれぞれ切欠凹部２２１ｂが形成されている。
【００２９】
ここで、サイドキャップ２２の各嵌合部２２２のスリット２２２ｂと、本体部２２１の各スリット２２２ｂに対向する各切欠凹部２２１ｂとによって水抜き部が形成される。
【００３０】
簀の子受け板３は、アルミ合金の押出成形品であって、断面略逆Ｕ字状に形成されており、その幅方向中心には、長手方向に沿って設定間隔をおいてビス穴（図示せず）が形成
されている。
【００３１】
また、支持脚４は、ポリプロピレンからなり、従来公知のものである。具体的には、フクビ化学工業株式会社製の商品名「プラ木レン」が採用されている。
【００３２】
次に、このように構成された簀の子１の組立要領について説明する。
【００３３】
まず、設置する浴室の洗い場の床面積から必要本数の簀の子単体２および簀の子受け板３とともに、必要個数の支持脚４を用意する。具体的には、簀の子単体２の長さから、簀の子板２１の長さを求め、簀の子板２１をその裏面に形成された位置決め線２１２ｂを利用して必要長さに切断した後、各簀の子板２１の両端部にそれぞれサイドキャップ２２を装着し、簀の子単体２を形成しておく。この場合、簀の子板２１の芯部２１１の各中空部２１１ｂは、切断箇所においても形状が同一であるため、サイドキャップ２２の各嵌合部２２２を確実に嵌合させることができる。
【００３４】
なお、簀の子板２１の両端部にそれぞれサイドキャップ２２を装着して形成された簀の子単体２は、その裏面側において、サイドキャップ２２の切欠凹部２２１ｂが露出されている。そして、サイドキャップ２２の各切欠凹部２２１ｂは、各嵌合部２２２に形成されたスリット２２２ｂを介して簀の子板２１の各中空部２１１ｂに連通されている。
【００３５】
次いで、床面に簀の子単体２を並設し、それらの両端部および長手方向中間部に簀の子受け板３をそれぞれ配置し、各簀の子受け板３のビス穴を通してビスを簀の子単体２の簀の子板２１に打ち込み、簀の子単体２と簀の子受け板３とを固定する。この場合も、簀の子単体２の簀の子板２１の裏面に形成された位置決め線２１２ｂを利用して、簀の子受け板３に沿わせることができる。しかも、隣接する一対の簀の子単体２の間隔は、サイドキャップ２２の左右各外面に突出して形成された突起２２１ａの外面が、隣接する簀の子単体２のサイドキャップ２２の対向する左右外面に当接することから、長手方向にわたって一定に形成することができる。
【００３６】
この場合、隣接する一対の簀の子単体２の間隔としては、簀の子１の水を確実に排水することができ、また、指などが入り込まないように、５ｍｍに設定されているが、突起２２１ａの長さを変更することにより、任意に設定することができる。
【００３７】
簀の子単体２と簀の子受け板３との固定が終了すれば、各簀の子受け板３の左右各端部に支持脚４を配置し、それぞれビスなどにより固定する。
【００３８】
このようにして簀の子１が組み立てられたならば、洗い場に設置し、簀の子単体２のすのこ板２１の上面が平面に連続するように、各支持脚４の高さを調整すればよい。
【産業上の利用可能性】
【００３９】
以上のように発明によれば、洗い場の形状や大きさに合わせて、簀の子を簡単に組み立てることができる。
【図面の簡単な説明】
【００４０】
【図１】本発明の簀の子の一実施形態を示す斜視図である。
【図２】図１の簀の子の部分拡大図である。
【図３】図１の簀の子を構成する簀の子単体を裏面側から示す分解斜視図である。
【図４】図３の簀の子単体を構成するサイドキャップの背面図およびそのＡ−Ａ線断面図である。
【符号の説明】
【００４１】
１  簀の子
２  簀の子単体
２１  簀の子板
２１１  芯部
２１１ｂ  中空部
２１２  被覆部
２１２ａ  滑り止め
２１２ｂ  位置決め線
２２  サイドキャップ
２２１  本体部
２２１ａ  突起
２２１ｂ  切欠凹部
２２２  嵌合部
２２２ａ  凸条
２２２ｂ  スリット
３  簀の子受け板
４  支持脚
【図１】
2005287760.tif 000003
【図２】
2005287760.tif 000004
【図３】
2005287760.tif 000005
【図４】
2005287760.tif 000006